(57)【要約】【課題】作業員が半製品に接近し、その上部空間に立ち入る必要があっても、作業員の呼吸する範囲には汚染された気体が拡散しない換気システムを提供する。【解決手段】半製品を加工する作業台３と、この作業台３の一方に配置した吹き出し架台１と、この作業台３の他方に配置した吸い込み架台２とより構成する。吹き出し架台１には、水平スリット１１ａとその両側の鉛直スリット１１ｂによって、門型の吹き出しスリット１１を開口する。吸い込み架台２には、水平スリット１１ａとその両側の鉛直スリット１１ｂによって、門型の吸い込みスリットを開口する。作業台３の上部空間に、高さと幅が一定の換気空間を形成する。【選択図】図１
2008157499.tif 000002
【特許請求の範囲】
【請求項１】
半製品を加工する作業台と、
この作業台の一方に配置した吹き出し架台と、
この作業台の他方に配置した吸い込み架台とより構成し、
吹き出し架台には、水平スリットとその両側の鉛直スリットによって、門型の吹き出しスリットを開口し、
吸い込み架台には、水平スリットとその両側の鉛直スリットによって、門型の吸い込みスリットを開口し、
高圧空気を、門型の吹き出しスリットから、吸い込み架台の吸い込みスリットに向けて吹き出すように構成し、
作業台の上部空間に、高さと幅が一定の換気空間を形成する、
換気システム。
【請求項２】
吹き出し架台に開口した水平スリットは、
水平面に対して１０度以下の角度で下向きの空気が噴出するように開口してある、
請求項１記載の換気システム。
【請求項３】
吹き出し架台に開口した２箇所の鉛直スリットは、
鉛直面に対して１０度以下の内向きの空気が噴出するように開口してある、
請求項１記載の換気システム。
【請求項４】
水平スリットの高さは、
作業台の作業面から、最高でも１．６ｍ程度の位置に水平に設定してある、
請求項１記載の換気システム。
【発明の詳細な説明】
【技術分野】
【０００１】
本発明は、換気システムに関するものである。
【背景技術】
【０００２】
作業台の上に半製品を置き、そこで粉塵の発生する仕上げ作業を行う場合がある。
その際には、図４に示すように、作業台ａの上部の空間に集塵フードｂを設置し、この集塵フードｂに負圧を与えて作業台上ａの空気を粉塵とともに吸引して除塵、清浄化処理ｃする構造が一般に採用されている。
【発明の開示】
【発明が解決しようとする課題】
【０００３】
前記した図４に示すような従来の換気システムにあっては、一般の作業では問題が少ない。
しかし図３に示すような場合にはそのまま利用することはできない。
すなわち、半製品を振動などでコンベア上を移動させ、両側から作業員が半製品に付いた付着物を落とすような場合である。
その場合に作業台やコンベアの幅が広く、作業員がコンベアの上まで立ち入って半製品の除塵作業などを行う必要がある。
あるいは半製品の形状が複雑であると、作業員が各半製品の周囲を回って除塵作業を行わなければならず、やはり上部空間に立ち入る必要が生じている。
その際には作業員が半製品の上部の空間に立ち入り、あるいはその上を横断するから、従来のように半製品の上部空間にフードのような吸引装置を取り付けることができず、防塵対策としては各自が装着する防塵マスク、防塵めがねなどにたよるしかないという問題があった。
【課題を解決するための手段】
【０００４】
上記のような従来の装置の課題を解決した本発明の換気システムは、半製品を加工する作業台と、この作業台の一方に配置した吹き出し架台と、この作業台の他方に配置した吸い込み架台とより構成し、吹き出し架台には、水平スリットとその両側の鉛直スリットによって、門型の吹き出しスリットを開口し、吸い込み架台には、水平スリットとその両側の鉛直スリットによって、門型の吸い込みスリットを開口し、高圧空気を、門型の吹き出しスリットから、吸い込み架台の吸い込みスリットに向けて吹き出すように構成し、作業台の上部空間に、高さと幅が一定の換気空間を形成することを特徴としたものである。
【発明の効果】
【０００５】
本発明の換気システムは以上説明したようになるから次のような効果を得ることができる。
＜イ＞  作業台の幅が広く、作業員が半製品に接近し、その上部空間に立ち入る必要があっても、作業員の呼吸する範囲には汚染された気体が拡散しない。
＜ロ＞  したがって汚染された空気を吸引する危険性がない状態で、半製品に接近して仕上げ作業などを行うことができるから、品質がよく、精度の高い作業を行うことができる。
【発明を実施するための最良の形態】
【０００６】
以下図面を参照しながら本発明の換気システムの実施例を説明する。
【実施例】
【０００７】
＜１＞全体の構成。
本発明の換気システムは、半製品を加工する作業台３と、この作業台３の一方に配置した吹き出し架台１と、この作業台３の他方に配置した吸い込み架台２とより構成する。
作業台３としては図では振動によって半製品を一方から一方へ移動させる振動コンベアでの実施例について説明してあるが、固定式の作業台３においても同じ構成を採用することができる。
【０００８】
＜２＞吹き出し架台１。
吹き出し架台１には、高圧の空気を噴出する架台である。
図ではボックス型の吹き出し架台１について説明する。
しかし簡単な構造としては、単なるパイプを門型に曲げて形成することもできる。
吹き出し架台１がボックス型の場合には、水平スリット１１ａとその両側の鉛直スリット１１ｂによって、門型の吹き出しスリット１１を開口する。
スリットとは、長い窓状の開口部であるが、そのようなスリットではなく、多数本のノズルやパンカーと称する角度調整が可能なノズルを並べて、実質的にスリット状に形成することもできる。
したがって本発明の明細書、請求項において「スリット」とは複数本のノズルを並べて実質的に帯状に配置した構成も含める意味である。
【０００９】
＜２−１＞水平スリット１１ａの設置角度。
吹き出し架台１に開口した水平スリット１１ａは、水平面に対して１０度以下の下向きの空気が噴出するように開口するとより望ましい。
一般にノズルやスリットから噴射した高圧空気は、２０度以下の角度をもって拡散することが知られている。
したがって、水平スリット１１ａから高圧空気をその半分の１０度以下の角度で下向きに噴射することによって、対象とする範囲の外部に高圧空気が拡散することを阻止することができる。
【００１０】
＜２−２＞鉛直スリット１１ｂの設置角度。
吹き出し架台１にはその両側に、ほぼ並行に鉛直スリット１１ｂが開口してある。
この２箇所の鉛直スリット１１ｂは、鉛直面に対して１０度以下の内向きの空気が噴出するように開口するとより好ましい。
上記したように、一般にノズルやスリットから噴射した高圧空気は、１０度以下の角度をもって拡散することが知られている。
したがって、２本の並行する鉛直スリット１１ｂから高圧空気を１０度以下の角度で内向きに噴射することによって、対象とする範囲の外部に高圧空気が拡散することを阻止することができる
【００１１】
＜２−３＞水平スリット１１ａの高さ。
水平スリット１１ａの設置高さは、作業台３の作業面から、最高でも１．６ｍ程度の位置に水平に設定することが好ましい。
それは図３に示すように、半製品の上部空間に作業員が立ち入る場合に、その作業員の頭部が、換気空間の範囲外にあればよいからである。
【００１２】
＜３＞吸い込み架台２。
作業台３をはさんで、吹き出し架台１に対向する位置には吸い込み架台２を設置する。
この吸い込み架台２とは、負圧を供給することにより、開口した吸い込みスリット２１から吹き出し架台からの噴射空気と、周囲から巻き込んだ巻き込み空気を吸引するためのものである。
その吸引のために、吸い込み架台２は負圧ポンプに連結し、水平スリット１１ａとその両側の鉛直スリット１１ｂによって、門型の吸い込みスリットを開口して、そのスリットから外気を吸引できるように構成する。
【００１３】
＜４＞換気空間の形成。
吹き出し架台１に高圧空気を供給し、門型の吹き出しスリット１１から作業台３の上部空間にはさんで吸い込み架台２に向けて噴射させる。
一方、吸い込み架台２には負圧を供給して吸引機能を開始する。
すると、吹き出し架台１から噴出した高圧空気は、作業台３の上部を通過し、吸い込み架台２の吸い込みスリットに向けて吸い込まれる。
こうして作業台３の上部空間に、高さと幅が一定の換気空間を形成することができる。
換気空間の高さは、作業面の上１．６ｍ程度に設定してあるから、その上部の空気には塵埃が含まれておらず、作業員が作業台３の上部に立ち、あるいは上部を通過しても塵埃を吸引することがない。
【図面の簡単な説明】
【００１４】
【図１】本発明の換気システムの実施例の説明図。
【図２】その断面図。
【図３】従来の問題点の説明図。
【図４】従来の一般的な除塵装置の説明図。
【符号の説明】
【００１５】
１：吹き出し架台
１１：吹き出しスリット
１１ａ：水平スリット
１１ｂ：垂直スリット
２：吸い込み架台
２１：吸い込みスリット
３：作業台
４：半製品
５：換気空間
６：除塵装置
【図１】
2008157499.tif 000003
【図２】
2008157499.tif 000004
【図３】
2008157499.tif 000005
【図４】
2008157499.tif 000006